(57)【要約】【課題】安定した状態で屋根上に突出したボルト体に取り付けることができ、かつ安定した取付状態を維持することができる屋根上取付具を提供する。【解決手段】屋根上取付具Ａは、一対の脚片１２、１２を有し、それらを貫通する緊締用ボルト１５で一対の脚片１２、１２を緊締して、屋根上に突出したボルト体Ｂに固定する構造とした略門形の屋根上取付具Ａであって、脚片１２、１２間には、複数のＬ字形片２０、２０がその横片部２２の先端をボルト体Ｂに向けて内装されており、脚片１２、１２を緊締することによって、横片部２２、２２の先端でボルト体Ｂを挟着することで屋根上に固定される構成となっている。【選択図】図１
2013245524.tif 000002
【特許請求の範囲】
【請求項１】
一対の脚片を有し、それらを貫通する緊締用ボルトで前記一対の脚片を緊締して、屋根上に突出したボルト体に固定する構造とした略門形の屋根上取付具であって、
前記脚片間には、複数のＬ字形片がその横片部の先端を前記ボルト体に向けて内装されており、前記脚片を緊締することによって、前記横片部の先端で前記ボルト体を挟着することを特徴とする屋根上取付具。
【請求項２】
請求項１において、
前記Ｌ字形片は、前記一対の脚片に対応して設けられ、前記Ｌ字形片の横片部の先端が相対するように、前記Ｌ字形片の縦片部が前記緊締用ボルトに吊下された構成とされ、前記緊締操作により、前記縦片の外側面が前記脚片より押圧されることを特徴とする屋根上取付具。
【請求項３】
請求項１または２において、
前記Ｌ字形片の横片の先端には、前記ボルト体を係止する係止凹部が形成されていることを特徴とする屋根上取付具。
【発明の詳細な説明】
【技術分野】
【０００１】
本発明は、屋根の頂部より突出したボルト体を挟着することで屋根上に固定される屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類を配設することが実施されており、従来には、各種機器・部材類を屋根上に取り付けるための種々の屋根上取付具が提案されている（例えば、特許文献１参照）。
【０００３】
特許文献１に記載された屋根は、山部と谷部とが交互に連続してなる波形屋根における山部の頂部で、隣接する屋根材同士を重ねてなる重合部をボルト体とナットの螺着によって連結、固定する重ね式連結構造となっている。そして、その波形屋根に取り付けられる屋根上取付具は、屋根材の重合部を波形屋根の下方より貫通して屋根上に突出した、屋根材連結のためのボルト体の軸部を、先端が相対向する挟着片で挟み込むことで設置できるようになっている。
【０００４】
具体的には、この屋根上取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体のネジ溝に食い込んだ状態で係止、固定されるので、屋根上取付具は容易に外れることなく屋根上にしっかりと固定される。
【先行技術文献】
【特許文献】
【０００５】
【特許文献１】特開２０１０−７７６９２号公報
【発明の概要】
【発明が解決しようとする課題】
【０００６】
しかしながら、図６（ａ）に示したように、この種の屋根上取付具１００は、両脚片１１２、１１２を緊締する際に両脚片１１２、１１２が浮いた状態にあり、安定していないため、図６（ｂ）のように傾いた状態に取り付けられるおそれがある。また、屋根上取付具１００が水平状態に取り付けられたとしても、図６（ｃ）のように脚片１１２、１１２と屋根Ｙの上面との間に隙間ができてしまうと、水平状態を維持できないおそれもある。なお図６中、１１１は台座、１１３は挟着片、１１５は緊締用ボルト、１１６は緊締用ナット、Ｙは波形屋根、Ｂはボルト体、Ｃ１はナット、Ｃ２は座金である。
【０００７】
本発明は、このような問題を考慮して提案されたもので、その目的は、安定した状態で屋根上に突出したボルト体に取り付けることができ、かつ安定した取付状態を維持することができる屋根上取付具を提供することにある。
【課題を解決するための手段】
【０００８】
上記目的を達成するために、請求項１に記載の屋根上取付具は、一対の脚片を有し、それらを貫通する緊締用ボルトで一対の脚片を緊締して、屋根上に突出したボルト体に固定する構造とした略門形の屋根上取付具であって、脚片間には、複数のＬ字形片がその横片部の先端を前記ボルト体に向けて内装されており、脚片を緊締することによって、横片部の先端で前記ボルト体を挟着することを特徴とする。
【０００９】
請求項２に記載の屋根上取付具は、Ｌ字形片が、一対の脚片に対応して設けられ、Ｌ字形片の横片部の先端が相対するように、Ｌ字形片の縦片部が緊締用ボルトに吊下された構成とされ、緊締操作により、縦片の外側面が脚片より押圧されることを特徴とする。
【００１０】
請求項３に記載の屋根上取付具は、Ｌ字形片の横片の先端には、ボルト体を係止する係止凹部が形成されていることを特徴とする。
【発明の効果】
【００１１】
請求項１に記載の屋根上取付具によれば、脚片の緊締によりボルト体を挟着するＬ字形片を脚片間に内装した構造となっているため、脚片の下端が屋根の上面に接触した状態で緊締操作ができるように構成しておけば、安定した緊締操作を行うことができる。そのため、取付作業を迅速に行うことができるとともに、屋根上取付具を安定した水平状態に取り付けることができる。
【００１２】
また、屋根上取付具を脚片が屋根の上面に接触した状態に取り付けることができるため、施工後も安定した状態を維持することができる。
【００１３】
請求項２に記載の屋根上取付具によれば、横片部の先端が相対する一対のＬ字形片のそれぞれの縦片部が緊締用ボルトに吊下された構成であるため、簡単に屋根上取付具を構成できる。一対のＬ字形片を、従来の略門形の屋根上取付具に後付けして本屋根上取付具を構成することもできる。
【００１４】
請求項３に記載の屋根上取付具によれば、Ｌ字形片の横片の先端にボルト体を係止する係止凹部が形成されているため、Ｌ字形片のボルト体への係止を確実にすることができ、安定した固定状態をさらに確実に維持することができる。
【図面の簡単な説明】
【００１５】
【図１】本発明の一実施形態に係る屋根上取付具の説明図であり、（ａ）は屋根上取付具を波形屋根へ取り付ける前の状態を示した分解斜視図（Ｌ字形片を除く）、（ｂ）はこの屋根上取付具に用いられるＬ字形片の斜視図、（ｃ）はＬ字形片の正面図である。
【図２】屋根上取付具の施工手順を示した正面図である。
【図３】屋根上取付具の施工手順を示した正面図および要部拡大平面図である。
【図４】屋根上取付具の取付状態を示した正面図および要部拡大平面図である。
【図５】本屋根上取付具の他の波形屋根への取付状態を示した正面図である。
【図６】（ａ）〜（ｃ）は、従来の屋根上取付具の施工手順および取付状態を説明するための正面図である。
【発明を実施するための形態】
【００１６】
以下に、本発明の実施の形態について、添付図面を参照しながら説明する。
【００１７】
図１は、本発明の一実施形態に係る屋根上取付具の説明図である。図１（ａ）は屋根上取付具を波形屋根へ取り付ける前の状態を示した分解斜視図、図１（ｂ）はこの屋根上取付具に用いられるＬ字形片の斜視図、図１（ｃ）はＬ字形片の正面図である。また、図２および図３は、屋根上取付具の施工手順を示した正面図（図３には要部拡大平面図を付加）であり、図４は、屋根上取付具の取付状態を示した正面図および要部拡大平面図である。
【００１８】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。なお、屋根上取付具Ａの取付対象は波形屋根に限定されず、平板屋根であってもよい。
【００１９】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００２０】
このナットＣ１は、図例においては、その下方の山状の座金Ｃ２とともに座金部Ｃを構成している。座金Ｃ２は、ボルト孔からの水の浸入を防止するための防水パッキンＣ３を覆っている。なお、座金部Ｃは、図例のような座金Ｃ２を含まず螺着用のナットＣ１のみで構成してもよい。
【００２１】
また、折板屋根Ｙの裏側には、正面視で折板屋根Ｙと略同形状をなす、ボルト止めのための支持金具Ｙ３が取り付けられている。折板屋根Ｙはこの支持金具Ｙ３に支持される。なお、屋根上取付具Ａを取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２２】
この屋根上取付具Ａは、金属板または硬質樹脂板よりなり、折板屋根Ｙの頂部Ｙ１ａより上方に突出した上記ボルト体Ｂに挟着させて、取り付け、固定されるようになっている。
【００２３】
具体的には、屋根上取付具Ａは、図１（ａ）に示すように、台座部１１と、その両端から下方に延びた一対の脚片１２、１２と、脚片１２、１２のそれぞれの下端から、先端が相対向するように折曲形成された延設片１３、１３とが一体形成された、略門形の緊締具１０を備え、さらに図１（ｂ）（ｃ）に示したような一対のＬ字形片２０、２０を含んだ構成となっている。
【００２４】
そして、この屋根上取付具Ａは、緊締具１０の両脚片１２、１２を緊締して両Ｌ字形片２０、２０の先端を相互に近接させて、ボルト体Ｂを挟着した状態で固定される。この両脚片１２、１２の緊締は、対向する両脚片１２、１２に開設された軸孔１２ａ、１２ａに貫通された緊締用ボルト１５と、緊締用ナット１６との螺合によってなされる。なお図例の屋根上取付具Ａには、台座部１１および両脚片１２、１２に、補強用リブ１１ａ、１２ｂが形成されている。
【００２５】
緊締具１０としては、本実施形態に示したように、両延設片１３、１３をボルト体Ｂへ挟着させることができる構造としたものを使用することができる。つまり、緊締具１０を挟着具として使用する場合には、延設片１３は挟着片として用いられる。延設片１３の先端には、直接、ボルト体Ｂを挟着できるように、凹部１３ａおよび係止凸部１３ｂが形成されている。図１（ａ）中、１３ｃは補強用リブである。
【００２６】
また、図５に示したように、ハゼ結合された折板屋根Ｙの頂部Ｙ１ａのハゼ部Ｈに対して屋根上取付具Ａを取り付ける場合には、Ｌ字形片２０、２０を取り付けずに、緊締具１０（挟着具）だけで屋根上取付具Ａを構成して、その緊締具１０の延設片１３、１３でハゼ部Ｈの脚部Ｈ１を挟着することで屋根上取付具Ａとして使用することができる。
【００２７】
なお、屋根上取付具Ａは、このような挟着具として使用することができる緊締具１０を用いない構成であってもよく、延設片１３、１３が形成されていない他の緊締具を用いた構成であってもよい。
【００２８】
一方、ボルト体Ｂを挟着するＬ字形片２０は、正面視でＬ字形であり、図１（ｃ）に示したように、その縦片部２１の上部に開設された挿通孔２１ａに緊締用ボルト１５を挿通させた状態で使用される。つまり、Ｌ字形片２０は、緊締用ボルト１５の軸部１５ａに吊下された状態で用いられる。
【００２９】
Ｌ字形片２０は、挿通孔２１ａを有した縦片部２１と、横片部２２とよりなり、横片部２２の先端には係止凹部２２ａが形成され、その内面にはねじ溝が形成されている。なお、係止凹部２２ａはボルト体Ｂの軸部Ｂ１と螺合により係止できるように、ボルト体Ｂの軸部Ｂ１と同径の弧状の切欠き凹部で構成され、その内面にねじ溝（雌ねじ）が形成されていることが望ましいが、軸部Ｂ１を挟み込める形状であればどのような凹部であってもよいし、内面には滑り止め程度の凹凸が形成されているだけでもよく、凹凸がなくてもよい。また、縦片部２１と横片部２２との折曲部には、補強用リブ２１ｂが形成されている。
【００３０】
なお、屋根上取付具は、係止凹部２２ａを設けずに横片部２２の先端をボルト体Ｂの軸部Ｂ１のねじ溝に係止させる構成としてもよいし、係止凹部２２ａの代わりに延設片１３の先端に形成された凹部１３ａや係止凸部１３ｂを横片部２２の先端に設けた構成としてもよい。
【００３１】
また、本実施形態では、屋根上取付具Ａは図５に示した使用態様などで挟着片としても用いられる延設片１３、１３を備えた構成であるため、延設片１３、１３が挟着片として作用しないようにするために、図２に示した状態において、その延設片１３、１３の離間寸法は、Ｌ字形片２０、２０の離間寸法よりも大きいことが必要とされる。
【００３２】
このような屋根上取付具Ａは、以下の施工手順で折板屋根Ｙに取り付けられる。
【００３３】
まず、Ｌ字形片２０の挿通孔２１ａと、緊締具１０の脚片１２の軸孔１２ａとを合致させて、Ｌ字形片２０の横片部２２の先端が向き合うように、両Ｌ字形片２０、２０を脚片１２、１２間に配した状態にして、両脚片１２、１２の軸孔１２ａ、１２ａの一方から緊締用ボルト１５の軸部１５ａを他方の軸孔１２ａに向けて貫通させ、緊締用ボルト１５の先端側から緊締用ナット１６を軽く締めて仮止め状態にする（図２参照）。現場作業を迅速にするために、仮止め作業はあらかじめ済ませておくことが望ましい。
【００３４】
なお、仮止め作業を効率的にするために、Ｌ字形片２０の挿通孔２１ａと、緊締具１０の軸孔１２ａとを合致させた状態で、Ｌ字形片２０の縦片部２１を脚片１２の内面にあらかじめ接着させておいてもよい。
【００３５】
ついで、折板屋根Ｙに立設されたボルト体Ｂの上方から、両Ｌ字形片２０、２０の先端間の間隙Ｓを通じてボルト体Ｂを嵌挿するようにして、屋根上取付具Ａを頂部Ｙ１ａの上面に載せ置く（図２、図３参照）。
【００３６】
この図３の状態では、両脚片１２、１２が頂部Ｙ１ａの上面に接触しているため屋根上取付具Ａは安定した状態にあり、台座部１１が頂部Ｙ１ａの上面に対してほぼ平行な状態に保たれている。また、緊締用ボルト１５に吊下させたＬ字形片２０の係止凹部２２ａは、図３の拡大平面図に示すように、ボルト体Ｂの軸部Ｂ１を所定の間隔を介して囲んだ状態にある。
【００３７】
この状態で緊締用ボルト１５、緊締用ナット１６を締め付けると、Ｌ字形片２０の横片部２２の係止凹部２２ａの内面が徐々にボルト体Ｂの軸部Ｂ１の外周面に近接し、係止凹部２２ａのねじ溝が軸部Ｂ１のねじ溝に食い込み、図４の拡大平面図に示すように、ボルト体Ｂを両Ｌ字形片２０、２０が挟着した状態となり、屋根上取付具Ａは折板屋根Ｙに固定される。
【００３８】
このように、屋根上取付具Ａは、緊締具１０の脚片１２、１２間に設けた一対のＬ字形片２０、２０がボルト体Ｂを挟着することで固定されるので、緊締具１０の緊締状態が保たれるかぎり、つまり脚片１２、１２が外側に移動しないかぎり、Ｌ字形片２０、２０もずれることはなく、しっかりと固定された状態を維持することができる。
【００３９】
さらに、この屋根上取付具Ａによれば、脚片１２、１２の下端を屋根の上面に接触させた状態で緊締操作ができるので、作業中に屋根上取付具Ａが傾いたりすることなく、取付作業を安定した状態で迅速に行うことができる。このように安定した状態で取付作業を行えるから、屋根上取付具Ａを安定した水平状態に取り付けることができる。
【００４０】
なお、このように安定した状態で取付作業をできるようにするためには、脚片１２の下端がＬ字形片２０の横片部２２の高さ位置よりも、すくなくとも座金Ｃ２とナットＣ１の合計高さ寸法分、低い位置となるように寸法関係を調整した緊締具１０とＬ字形片２０とを用いる必要があることはいうまでもない。
【００４１】
また、屋根上取付具Ａは一対の脚片１２、１２に対応させて別体である一対のＬ字形片２０、２０を緊締具１０に付加した構成であるため、簡単に屋根上取付具Ａを構成することができる。
【００４２】
また、脚片１２、１２間に内装されたＬ字形片２０、２０がボルト体Ｂを挟着する構造であるため、緊締操作によっても、延設片１３、１３の先端はボルト体Ｂの軸部Ｂ１に到達することはなく、挟着固定した際には図４に示したような状態となる。つまり、この屋根上取付具Ａは、緊締具１０が延設片１３を挟着片として使用しない構成となっているから、緊締操作で延設片１３、１３をボルト体Ｂに到達させなくてもよい。つまり、少ない螺進量の緊締操作で屋根上取付具Ａを折板屋根Ｙに固定することができ、取付作業の迅速化をさらに図ることができる。
【００４３】
このように、既存の挟着具を緊締具１０として使用する場合は、Ｌ字形片２０、２０の相向き合う先端間（横片部２２、２２の先端間）が、延設片１３、１３の相向き合う先端間よりも離間寸法が小さいＬ字形片２０、２０を用いる必要がある。
【００４４】
また、Ｌ字形片２０が緊締具１０とは別体であるため、ボルト体Ｂの寸法やその他の部材の形状などに応じて、適切な寸法のＬ字形片２０に取り替えて適正な屋根上取付具Ａを構成すればよい。
【００４５】
また、この屋根上取付具Ａは脚片１２、１２間に内装されたＬ字形片２０、２０でボルト体Ｂを挟着する構成であるから、このような屋根上取付具Ａを用いれば、緊締具１０を挟着具として用いたときに軸部Ｂ１の径が小さすぎて挟着できないようなボルト体Ｂに対しても固定することができる。
【００４６】
さらに、この屋根上取付具Ａによれば、脚片１２、１２が屋根の上面に接触した状態に取り付けられるため、施工後も安定した、がたつきのない状態を維持することができる。
【符号の説明】
【００４７】
Ａ          屋根上取付具
１０        緊締具
１１        台座部
１２        脚片
１３        延設片
１５        緊締用ボルト
１６        緊締用ナット
２０        Ｌ字形片
２１        縦片部
２１ａ      挿通孔
２２        横片部
２２ａ      係止凹部
Ｂ          ボルト体
Ｂ１        軸部
Ｙ          折板屋根（屋根）
Ｙ１        山部
Ｙ１ａ      頂部
【図１】
2013245524.tif 000003
【図２】
2013245524.tif 000004
【図３】
2013245524.tif 000005
【図４】
2013245524.tif 000006
【図５】
2013245524.tif 000007
【図６】
2013245524.tif 000008